【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
無線通信システムにおいてデータ及び制御情報を伝送する方法であって、
前記制御情報を生成するステップと、
伝送される情報データ及び制御情報が同一のＴＴＩ（伝送時間間隔）で発生した場合、前記伝送される情報データの量を考慮して前記制御情報の伝送のためのシンボル数を決定するステップと、
前記情報データ及び制御情報を多重化するステップと、
前記多重化された情報データ及び制御情報を伝送するステップと
を具備することを特徴とする方法。
【請求項２】
前記制御情報は、ＨＡＲＱ（ハイブリッド自動リピート要求）フィードバック情報であることを特徴とする請求項１に記載の方法。
【請求項３】
前記制御情報の伝送のためのシンボル数は、前記伝送される情報データの量とともに、スケジューリングされたリソースの量を考慮することによって、決定されることを特徴とする請求項１に記載の方法。
【請求項４】
前記多重化された情報データ及び制御情報は、前記情報データに対してスケジューリングされたリソースで伝送されることを特徴とする請求項１に記載の方法。
【請求項５】
前記情報データは、前記制御情報に対するリソースを除いた残りのリソースを使用することによって伝送されることを特徴とする請求項４に記載の方法。
【請求項６】
前記制御情報のみが前記ＴＴＩで伝送される場合、前記制御情報は、前記制御情報に対して予め設定されたリソースで伝送されることを特徴とする請求項１に記載の方法。
【請求項７】
前記制御情報は、変調以前に前記情報データとともに多重化されることを特徴とする請求項１に記載の方法。
【請求項８】
前記制御情報は、ＴＤＭ（時分割多重）方式に基づいて、前記制御情報及び情報データの復調のために伝送される基準信号とともに多重化されることを特徴とする請求項１に記載の方法。
【請求項９】
前記制御情報が、前記同一のＴＴＩで前記情報データとともに伝送される場合、前記情報データ及び制御情報は、同一の変調スキームによって変調されることを特徴とする請求項１に記載の方法。
【請求項１０】
無線通信システムにおいてデータ及び制御情報を伝送するＵＥ（ユーザ端末）装置であって、
前記制御情報を生成する制御情報生成器と、
伝送される情報データ及び制御情報が同一のＴＴＩ（伝送時間間隔）で発生した場合、伝送される情報データの量を考慮して前記制御情報の伝送のためのシンボル数を決定する制御チャンネルコントローラと、
前記情報データ及び制御情報を多重化するマルチプレクサと、
前記多重化された情報データ及び制御情報を伝送する伝送ユニットと
を具備することを特徴とするＵＥ装置。
【請求項１１】
前記制御情報は、ＨＡＲＱ（ハイブリッド自動リピート要求）フィードバック情報であることを特徴とする請求項１０に記載のＵＥ装置。
【請求項１２】
前記制御チャンネルコントローラは、前記伝送される情報データの量とともにスケジューリングされたリソースの量を考慮して前記制御情報の伝送のためのシンボル数を決定することを特徴とする請求項１０に記載のＵＥ装置。
【請求項１３】
前記伝送ユニットは、前記情報データに対してスケジューリングされたリソースで、前記多重化された情報データ及び制御情報を伝送することを特徴とする請求項１０に記載のＵＥ装置。
【請求項１４】
前記情報データは、前記制御情報に対するリソースを除いた残りのリソースを使用することによって伝送されることを特徴とする請求項１３に記載のＵＥ装置。
【請求項１５】
前記制御情報のみが前記ＴＴＩで伝送される場合、前記制御情報は、前記制御情報に対して予め設定されたリソースで伝送されることを特徴とする請求項１０に記載のＵＥ装置。
【請求項１６】
前記マルチプレクサは、変調以前に前記情報データ及び制御情報を多重化することを特徴とする請求項１０に記載のＵＥ装置。
【請求項１７】
前記マルチプレクサは、ＴＤＭ（時分割多重）方式に基づいて、前記情報データ及び制御情報の復調のために伝送される基準信号と前記制御情報とを多重化することを特徴とする請求項１０に記載のＵＥ装置。
【請求項１８】
前記制御情報が、前記同一のＴＴＩで前記情報データとともに伝送される場合、同一の変調スキームによって前記情報データ及び制御情報を変調する変調器をさらに具備することを特徴とする請求項１０に記載のＵＥ装置。
【請求項１９】
無線通信システムにおいてデータ及び制御情報を受信する方法であって、
ＵＥ（ユーザ端末）から同一のＴＴＩ（伝送時間間隔）で発生する情報データ及び前記制御情報を含むアップリンク信号を受信するステップと、
伝送される前記情報データの量を考慮して前記制御情報の伝送のためのシンボル数を決定するステップと、
前記情報データ及び制御情報を獲得するために、前記制御情報の伝送のためのシンボル数に従って前記アップリンク信号を逆多重化するステップと
を具備する方法。
【請求項２０】
前記制御情報は、ＨＡＲＱ（ハイブリッド自動リピート要求）フィードバック情報であることを特徴とする請求項１９に記載の方法。
【請求項２１】
前記制御情報の伝送のためのシンボル数は、前記伝送される情報データの量とともにスケジューリングされたリソースの量を考慮することによって決定されることを特徴とする請求項１９に記載の方法。
【請求項２２】
前記アップリンク信号は、前記ＵＥから前記情報データに対してスケジューリングされたリソースで伝送されることを特徴とする請求項１９に記載の方法。
【請求項２３】
前記情報データは、前記ＵＥから前記制御情報に対するリソースを除いた残りのリソースを使用することによって伝送されることを特徴とする請求項２２に記載の方法。
【請求項２４】
前記ＵＥから前記制御情報のみが前記ＴＴＩで伝送される場合、前記制御情報は、前記制御情報に対して予め設定されたリソースで伝送されることを特徴とする請求項１９に記載の方法。
【請求項２５】
前記アップリンク信号は、変調後に前記情報データ及び制御情報に逆多重化されることを特徴とする請求項１９に記載の方法。
【請求項２６】
前記制御情報は、前記ＵＥで、ＴＤＭ（時分割多重）方式に基づいて、前記制御情報及び情報データの復調のために伝送される基準信号とともに多重化されることを特徴とする請求項１９に記載の方法。
【請求項２７】
前記制御情報が、前記ＵＥから前記同一のＴＴＩで前記情報データとともに伝送される場合、前記アップリンク信号は、同一の復調スキームによって復調されることを特徴とする請求項１９に記載の方法。
【請求項２８】
無線通信システムにおいてデータ及び制御情報を受信するＮｏｄｅ Ｂ装置であって、
ＵＥ（ユーザ端末）から同一のＴＴＩ（伝送時間間隔）で発生する情報データ及び前記制御情報を含むアップリンク信号を受信する受信ユニットと、
伝送される前記情報データの量を考慮して前記制御情報の伝送のためのシンボル数を決定するコントローラと、
前記情報データ及び制御情報を獲得するために、前記制御情報の伝送のためのシンボル数に従って前記アップリンク信号を逆多重化するデマルチプレクサと
を具備することを特徴とするＮｏｄｅ Ｂ装置。
【請求項２９】
前記制御情報は、ＨＡＲＱ（ハイブリッド自動リピート要求）フィードバック情報であることを特徴とする請求項２８に記載のＮｏｄｅ Ｂ装置。
【請求項３０】
前記コントローラは、前記伝送される情報データの量とともにスケジューリングされたリソースの量を考慮して前記制御情報の伝送のためのシンボル数を決定することを特徴とする請求項２８に記載のＮｏｄｅ Ｂ装置。
【請求項３１】
前記アップリンク信号は、前記ＵＥから前記情報データのためのスケジューリングされたリソースで伝送されることを特徴とする請求項２８に記載の方法。
【請求項３２】
前記情報データは、前記ＵＥから前記制御情報に対するリソースを除いた残りのリソースを使用することによって伝送されることを特徴とする請求項３１に記載の方法。
【請求項３３】
前記制御情報のみが、前記ＵＥから前記ＴＴＩで伝送される場合、前記制御情報は、前記制御情報に対して予め設定されたリソースで伝送されることを特徴とする請求項２８に記載の方法。
【請求項３４】
前記デマルチプレクサは、変調後に前記アップリンク信号を前記情報データ及び制御情報に逆多重化することを特徴とする請求項２８に記載の方法。
【請求項３５】
前記制御情報は、前記ＵＥ端末で、ＴＤＭ（時分割多重）方式に基づいて、前記制御情報及び情報データの復調のために伝送される基準信号とともに多重化されることを特徴とする請求項２８に記載の方法。
【請求項３６】
前記制御情報が、前記ＵＥから同一の前記ＴＴＩで前記情報データとともに伝送される場合、同一の復調スキームによって前記アップリンク信号を復調する復調器をさらに具備することを特徴とする請求項２８に記載の方法。